(57)【特許請求の範囲】
【請求項１】
表側デッキボード及び裏側デッキボードの縁部周囲から水平方向に突出する突出部が形成された合成樹脂製パレットであって、表側デッキボードの突出部の角部に形成されたアール部の中央部と裏側デッキボードの突出部の角部に形成されたアール部の中央部とを連結する中央部垂直突条を、合成樹脂製パレットの側壁に、該側壁からの突出量が、前記表側及び裏側デッキボードの突出部の突出量と略同じになるように突設するとともに、前記表側デッキボードの突出部の角部に形成されたアール部の両端部付近と前記裏側デッキボードの突出部の角部に形成されたアール部の両端部付近とを連結する側部垂直突条を、前記中央部垂直突条を挟んで、合成樹脂製パレットの側壁に、該側壁からの突出量が、前記表側及び裏側デッキボードの突出部の突出量と略同じになるように突設することにより、前記合成樹脂製パレット同士の突出部の重なり合いを阻止するように構成したことを特徴とする合成樹脂製パレット。
【発明の詳細な説明】
【０００１】
【発明の属する技術分野】
本発明は、種々の物品を載置して、運搬或いは保管するための合成樹脂製パレットに関するものである。
【０００２】
【従来の技術】
従来、パレットの側壁に貼着されるシールやバーコード等を保護するために、表側デッキボード及び裏側デッキボードの縁部周囲から水平方向に突出する突出部を形成した合成樹脂製パレットが知られている。
【０００３】
【発明が解決しようとする課題】
従来の合成樹脂製パレットＰの角部の斜視図である図４に示されているように、合成樹脂製パレットＰの側壁１に貼着されるシールやバーコード等を保護するために、表側デッキボード２及び裏側デッキボード３の縁部周囲から、水平方向に突出する突出部２ａ、３ａを形成して、側壁１を、表側デッキボード２及び裏側デッキボード３から引っ込めるように構成されている。なお、４は、フォーク差し込み口である。
【０００４】
図５（ａ）に示されているように、上述した従来の合成樹脂製パレットが２枚、併置されている場合に、例えば、右側に位置する合成樹脂製パレットＰの右方向のフォーク差し込み口にフォークを差し込もうとすると、右側の合成樹脂製パレットＰが、左側に位置する合成樹脂製パレットＰ’（なお、左側に位置する合成樹脂製パレット及びその構成部分には、ダッシュ（’）が付されている。）の方向に押されて、右側の合成樹脂製パレットＰの裏側デッキボード３に形成された突出部３ａが、左側の合成樹脂製パレットＰ’の裏側デッキボード３’に形成された突出部３ａ’の下に入り込むようなことがある。このような状態で、右側の合成樹脂製パレットＰをフォークリフトで上昇させると、右側の合成樹脂製パレットＰの裏側デッキボード３に形成された突出部３ａにより、左側の合成樹脂製パレットＰ’の一端が持ち上げられて傾斜し、左側の合成樹脂製パレットＰ’に物品が載置されている場合には、物品が落下したり、或いは、左側の合成樹脂製パレットＰ’に合成樹脂製パレットが段積みされている場合には、段積みされた合成樹脂製パレットが崩れて落下する等の問題があった。
【０００５】
また、右側の合成樹脂製パレットＰの裏側デッキボード３に形成された突出部３ａが、左側の合成樹脂製パレットＰ’の裏側デッキボード３’に形成された突出部３ａ’の上に載置された場合にも、この状態で、右側の合成樹脂製パレットＰをフォークリフトで上昇させると、右側の合成樹脂製パレットＰの裏側デッキボード３に形成された突出部３ａが、その上昇過程において、左側の合成樹脂製パレットＰ’の表側デッキボード２’に形成された突出部２ａ’に引っ掛ることになり、従って、左側の合成樹脂製パレットＰ’の一端が持ち上げられて傾斜することになる。
【０００６】
左側の合成樹脂製パレットＰ’の側壁１’と右側の合成樹脂製パレットＰの側壁１が平行を保ったままで当接した場合には、右側の合成樹脂製パレットＰの表、裏側デッキボード２、３に形成された突出部２ａ、３ａが、左側の合成樹脂製パレットＰ’の表、裏側デッキボード２’、３’に形成された突出部２ａ’、３ａ’とほぼ線で接触することになり、右側の合成樹脂製パレットＰの裏側デッキボード３に形成された突出部３ａが、左側の合成樹脂製パレットＰ’の裏側デッキボード３’に形成された突出部３ａ’に下に入り込むようなことが比較的少ない。しかしながら、通常の作業においては、図６に示されているように、フォークＦにより移動した右側の合成樹脂製パレットＰの角部Ｃが、左側の合成樹脂製パレットＰ’の側壁１’に当接する場合が多く、従って、右側の合成樹脂製パレットＰの裏側デッキボード３に形成された突出部３ａが、左側の合成樹脂製パレットＰ’の裏側デッキボード３’に形成された突出部３ａ’に下に入り込むようなことがしばしば発生することになる。
【０００７】
また、右側の合成樹脂製パレットＰと左側の合成樹脂製パレットＰ’とがローラーコンベヤーやベルトコンベヤー等の搬送手段により搬送されている場合に、左側の合成樹脂製パレットＰ’を、図示されていないストッパーにより停止した際に、図５（ｂ）に示されているように、右側の合成樹脂製パレットＰの表、裏側デッキボード２、３に形成された突出部２ａ、３ａが、左側の合成樹脂製パレットＰ’の表、裏側デッキボード２’、３’に形成された突出部２ａ’、３ａ’の上に乗っかって、左側の合成樹脂製パレットＰ’を、搬送手段から排出するのが困難になる等の問題があった。
【０００８】
本発明の目的は、上述した従来の合成樹脂製パレットが有する課題を解決するとともに、その取扱性の向上した合成樹脂製パレットを提供することにある。
【０００９】
【課題を解決するための手段】
本発明は、上述した目的を達成するために、表側デッキボード及び裏側デッキボードの縁部周囲から水平方向に突出する突出部が形成された合成樹脂製パレットであって、表側デッキボードの突出部の角部に形成されたアール部の中央部と裏側デッキボードの突出部の角部に形成されたアール部の中央部とを連結する中央部垂直突条を、合成樹脂製パレットの側壁に、該側壁からの突出量が、前記表側及び裏側デッキボードの突出部の突出量と略同じになるように突設するとともに、前記表側デッキボードの突出部の角部に形成されたアール部の両端部付近と前記裏側デッキボードの突出部の角部に形成されたアール部の両端部付近とを連結する側部垂直突条を、前記中央部垂直突条を挟んで、合成樹脂製パレットの側壁に、該側壁からの突出量が、前記表側及び裏側デッキボードの突出部の突出量と略同じになるように突設することにより、前記合成樹脂製パレット同士の突出部の重なり合いを阻止するように構成したものである。
【００１０】
【実施例】
以下に、本発明の合成樹脂製パレットの全体斜視図である図１、図１において一点鎖線で囲まれた本発明の合成樹脂製パレットの角部付近の斜視図である図２及び本発明の他の実施例の合成樹脂製パレットの角部付近の斜視図である図３を用いて、本発明の実施例について説明するが、本発明の趣旨を越えない限り何ら、本実施例に限定されるものではない。なお、本発明の合成樹脂製パレットにおいても、上述した従来の合成樹脂製パレットと同じ構成部分には、同一の符号が使用されている。
【００１１】
合成樹脂製パレットＰの表側デッキボード２の突出部２ａ及び裏側デッキボード３の突出部３ａの角部Ｃには、それぞれ、ほぼ同一の曲率半径を有するアール部２ｂ、３ｂが形成されている。そして、表側デッキボード２のアール部２ｂと裏側デッキボード３のアール部３ｂの中央部を連結するように、側壁１から中央部垂直突条５ａが突設されており、中央部垂直突条５ａの側壁１からの突出量は、表、裏側デッキボード２、３に形成された突出部２ａ、３ａの側壁１からの突出量と略同じに形成されている。
【００１２】
また、中央部垂直突条５ａを挟んで、表側デッキボード２のアール部２ｂと裏側デッキボード３のアール部３ｂの両端部付近を連結するように、側壁１からは側部垂直突条５ｂが突設されている。そして、この側部垂直突条５ｂの側壁１からの突出量も、中央部垂直突条５ａと同様に、表、裏側デッキボード２、３に形成された突出部２ａ、３ａの側壁１からの突出量と略同じに形成されている。
【００１３】
上述したように、合成樹脂製パレットＰの角部Ｃに形成されているアール部２ｂ、３ｂに、表側デッキボード２のアール部２ｂと裏側デッキボード３のアール部３ｂの中央部及び両端部付近を連結する中央部垂直突条５ａ及び側部垂直突条５ｂを突設したので、図６に示されているように、右側の合成樹脂製パレットＰの角部Ｃが、左側の合成樹脂製パレットＰ’に当接した場合にも、右側の合成樹脂製パレットＰのアール部２ｂ、３ｂに突設された中央部垂直突条５ａ及び側部垂直突条５ｂが、左側の合成樹脂製パレットＰ’の表、裏側デッキボード２’、３’に形成された突出部２ａ’、３ａ’に当接し、従って、右側の合成樹脂製パレットＰの表、裏側デッキボード２、３に形成された突出部２ａ、３ａと左側の合成樹脂製パレットＰ’の表、裏側デッキボード３’に形成された突出部２ａ’３ａ’とが、図５（ａ）（ｂ）に示されているように、重なり合うようなことがない。
【００１４】
また、合成樹脂製パレットＰ同士の側壁１が平行を保ったままで当接した場合にも、一方の合成樹脂製パレットＰの角部Ｃに形成された側部垂直突条６ｂが、もう一方の合成樹脂製パレットＰの表、裏側デッキボード２、３に形成された突出部２ａ、３ａに当接するので、従って、合成樹脂製パレットＰ同士の突出部２ａ、３ａが重なり合うようなことがない。
【００１５】
なお、中央部垂直突条５ａと側部垂直突条５ｂとのほぼ中間に、新たに、垂直突条を追加して突設することもできるし、更には、側部垂直突条５ｂより、側壁１の中央寄りに垂直突条を追加して突設することもできる。
【００１６】
図３に示されている参考例は、上述したような中央部垂直突条５ａや側部垂直突条５ｂを突設する代わりに、表側デッキボード２の突出部２ａのアール部２ｂと裏側デッキボード３の突出部３ａのアール部３ｂを、表、裏側デッキボード２、３に形成された突出部２ａ、３ａの側壁１からの突出量と略同じ突出量を有する帯状体６で埋設したものである。このように、合成樹脂製パレットＰの角部Ｃに帯状体６を形成することにより、中央部垂直突条５ａや側部垂直突条５ｂを突設した合成樹脂製パレットＰと同様の作用効果を奏することができる。
【００１７】
【発明の効果】
本発明は、以上説明したように構成されているので、以下に記載する効果を奏することができる。
【００１８】
併置された合成樹脂製パレット同士の突出部が重なり合うことがないので、一方の合成樹脂製パレットの上昇により、もう一方の合成樹脂製パレットの一端が持ち上げられて傾斜したり、或いは、一方の合成樹脂製パレットの突出部が、もう一方の合成樹脂製パレットの突出部の上に乗りかかるようなことが防止できる。
【図面の簡単な説明】
【図１】  図１は本発明の合成樹脂製パレットの全体斜視図である。
【図２】  図２は図１において一点鎖線で囲まれた本発明の合成樹脂製パレットの角部付近の斜視図である。
【図３】  図３は参考例の合成樹脂製パレットの角部付近の斜視図である。
【図４】  図４は従来の合成樹脂製パレットの角部付近の斜視図である。
【図５】  図５は従来の合成樹脂製パレット同士の当接状態を示す部分正面図である。
【図６】  図６は従来の合成樹脂製パレット同士の当接状態を示す平面図である。
【符号の説明】
Ｃ・・・・・・・角部
Ｐ・・・・・・・合成樹脂製パレット
２・・・・・・・表側デッキボード
３・・・・・・・裏側デッキボード
２ａ、３ａ・・・突出部
５・・・・・・・垂直突条
６・・・・・・・帯状体
【図１】
0004117710.tif 000002
【図２】
0004117710.tif 000003
【図３】
0004117710.tif 000004
【図４】
0004117710.tif 000005
【図５】
0004117710.tif 000006
【図６】
0004117710.tif 000007